(57)【特許請求の範囲】
【請求項１】
第１指標部を備える文字盤と、
前記文字盤の中央に配置される液晶表示器と、
前記文字盤の前面側に配置され前記文字盤の前記第１指標部を指示する指針と、
前記指針を回動させるムーブメントとを備え、
前記指針は、前記ムーブメントのシャフトに固定されるボス部と、前記ボス部から前記文字盤の外周側へ向けて延出される支持腕部と、前記支持腕部先端から前記文字盤の表面に沿い前記文字盤の内周側へ向けて延出されるポインタ部とを有し、前記支持腕部と前記ポインタ部とにより略コ字状を成し、
前記文字盤は、前記指針の前記ポインタ部の裏側と前記支持腕部の表側との間に前記支持腕部の回転平面と略平行に配置される車両用表示装置であって、
前記指針の前記ポインタ部は前記液晶表示器の輪郭内まで延出され、
前記液晶表示器には前記指針の前記ポインタ部により指示され且つ前記第１指標部に関連する第２指標部が形成されることを特徴とする車両用表示装置。
【請求項２】
前記第１指標部はエンジンの回転速度を指示する目盛および数字であり前記第２指標部はエンジンの燃料消費率を指示するバーグラフであることを特徴とする記載の車両用表示装置。
【請求項３】
前記第１指標部は車両の走行速度を指示する目盛および数字であり前記第２指標部は車両が走行中の道路の制限速度を指示するバーグラフであることを特徴とする請求項１に記載の車両用表示装置。
【請求項４】
前記指針の前記ポインタ部よりも前面側且つ前記文字盤２の外周側に配置される環状のリング部材を備え、
前記リング部材に前記第1指標部の一部が形成されたことを特徴とする請求項１ないし請求項３のいずれかに記載の車両用表示装置。
【発明の詳細な説明】
【技術分野】
【０００１】
本発明は、車両の運転席に設置されて乗員に対して各種情報を表示する車両用表示装置に関するものであり、たとえば自動車等に用いて好適である。
【背景技術】
【０００２】
近年、自動車等に搭載される車両用表示装置において、従来の指針計器に加えて液晶表示器が用いられている。
【０００３】
たとえば、文字盤およびその表面に沿って回転する指針からなる指針計器の前面側に視認方向において指針計器と部分的に重ねて液晶表示器を配置した構成のもがある（特許文献１参照）。
【０００４】
この場合、指針計器の中央部を表示スペースとして利用できるとともに、液晶表示器を表示手段として用いることで表示方法の自由度をさせることができる。
【特許文献１】特開２００３−３４４１１８号公報
【発明の開示】
【発明が解決しようとする課題】
【０００５】
しかしながら、上述の従来の表示装置においては、液晶表示器に表示される情報と指針計器により指示される情報との関連が無い。すなわち、指針計器の指針は文字盤上の表示意匠、たとえば目盛や数字を指示しており、液晶表示器の画面に表示される表示意匠とは無関係である。指針計器により指示される情報と関連のある情報は指針計器の外部に表示されている、つまり、お互いに関連性の強い複数の情報が離れて表示されており、両情報を正確に素早く読取ることが困難となっている。
【０００６】
上述の従来の表示装置においては、仮に液晶表示器に指針計器と関連のある指標を表示しても、従来の表示装置の構造上、指針は液晶表示器の画面上に延出することができず、したがって、液晶表示器上の指標を指針により正確に読取ることは困難である。
【０００７】
本発明は、上記の問題点に鑑みなされたもので、指針計器および液晶表示器の構成に工夫を凝らして、関連性の強い複数の情報の視認性を向上することのできる車両用表示装置を提供することを目的とする。
【課題を解決するための手段】
【０００８】
本発明は上記目的を達成する為、以下の技術的手段を採用する。
【０００９】
本発明の請求項１に記載の車両用表示装置は、第１指標部を備える文字盤と、この文字盤の中央に配置される液晶表示器と、文字盤の前面側に配置され文字盤の第１指標部を指示する指針と、この指針を回動させるムーブメントとを備え、指針は、ムーブメントのシャフトに固定されるボス部と、ボス部から文字盤の外周側へ向けて延出される支持腕部と、支持腕部先端から文字盤の表面に沿い文字盤の内周側へ向けて延出されるポインタ部とを有し、支持腕部とポインタ部とにより略コ字状を成し、文字盤は、指針のポインタ部の裏側と支持腕部の表側との間に支持腕部の回転平面と略平行に配置される車両用表示装置であって、指針のポインタ部は液晶表示器の輪郭内まで延出され、液晶表示器には指針のポインタ部により指示され且つ第１指標部に関連する第２指標部が形成されることを特徴としている。
【００１０】
上述した構成によれば、指針のポインタ部は、文字盤上の第１指標部と液晶表示器の第２指標部とを同時に指示することができる。すなわち、指針のポインタ部は、視認方向において液晶表示器の第２指標部と重なるので、第２指標部を第１指標部と同等の正確さで指示することができるので、運転者は、両指標部が指示する物理量を、正確且つ素早く読取ることが可能となる。
【００１１】
これにより、関連性の強い複数の情報の視認性を向上することのできる車両用表示装置を実現することができる。
【００１２】
本発明の請求項２に記載の車両用表示装置は、第１指標部はエンジンの回転速度を指示する目盛および数字であり第２指標部はエンジンの燃料消費率を指示するバーグラフであることを特徴としている。
【００１３】
この場合、運転者は、指針のポインタ部および第１指標部によりエンジンの回転速度を読取ると同時に、指針のポインタ部および第２指標部によりエンジンの燃料消費率、つまり単位時間当たりの燃料消費量を読取ることができる。これにより、運転者が、たとえば、アクセルペダルの踏み込み量を調節してエンジンの運転状態をより燃料消費率の低い状態に制御すれば、燃料使用量を節約でき且つ排出ガス量を低減する運転状態を実現することが可能となる。
【００１４】
したがって、本発明の請求項２に記載の車両用表示装置は、本発明の第１実施形態による車両用表示装置の効果を最大限に活かすことができる。
【００１５】
本発明の請求項３に記載の車両用表示装置は、第１指標部は車両の走行速度を指示する目盛および数字であり第２指標部は車両が走行中の道路の制限速度を指示するバーグラフであることを特徴している。
【００１６】
この場合、運転者は、指針のポインタ部および第１指標部により車両の走行速度を読取ると同時に、指針のポインタ部および第２指標部により、車両の走行速度が道路の制限速度を超過しているかそれ以下であるかを素早く読取ることができる。これにより、運転者は、常に安全運転を実行することが可能となる。
【００１７】
したがって、本発明の請求項３に記載の車両用表示装置は、本発明の第１実施形態による車両用表示装置の効果を最大限に活かすことができる。
【００１８】
本発明の請求項４に記載の車両用表示装置は、指針のポインタ部よりも前面側且つ文字盤２の外周側に配置される環状のリング部材を備え、このリング部材に第1指標部の一部が形成されたことを特徴としている。
【００１９】
上述した構成によれば、運転者の視認方向において、リング部材は文字盤よりも運転者の眼に近い位置にある。言い換えると、リング部材と文字盤とは視認距離が異なっている。したがって車両用表示装置の見映えを、奥行き感が強調された斬新なものとすることができる。
【発明を実施するための最良の形態】
【００２０】
以下、本発明による車両用表示装置を、自動車に搭載されるコンビネーションメータ適用した場合を例に図面に基づいて説明する。
【００２１】
（第1実施形態）
図１は、本発明の第１実施形態によるコンビネーションメータ１の部分正面図である。図１においては、タコメータＴ部を示している。
【００２２】
図２は、図1中のＩＩ−ＩＩ線断面図である。図２において、左側が運転席側であり、コンビネーションメータ１は、左方から視認される。
【００２３】
図３は、本発明の第１実施形態によるコンビネーションメータ１の電気回路構成を説明する模式図である。
【００２４】
コンビネーションメータ１は、自動車の運転席前方の運転者から視認可能な位置に設置されている。タコメータＴは、このコンビネーションメータ１内に形成され、当該自動車のエンジン回転速度を指針の回動角度により指示するものである。
【００２５】
以下に、コンビネーションメータ１の構成、すなわちタコメータＴの構成について説明する。
【００２６】
タコメータＴは、大きくは、第1指標部である数字２ｂを備えた文字盤２、第１指標部である目盛３ａを備えた外周リング３、数字２ｂおよび目盛３ａを指示する指針８、および文字盤２の中央部に配置された液晶表示器９から構成されている。
【００２７】
文字盤２は、透光性材質、たとえば無色透明のポリカーボネート樹脂あるいはアクリル樹脂等の薄板から形成されている。文字盤２は、第１指標部としてエンジン回転速度を表す「１」、「２」等の文字２ｂを備えている。文字２ｂは、文字盤２の表面２ａ（図２において左側の面）に印刷あるいはホットスタンプ等を施すことにより形成されている。すなわち、文字２ｂ以外の部分に不透光性着色層あるいは半透光性着色層を設けると共に、数字２ｂおよび文字２ｃを透明なままとする、あるいは半透光性着色層を設ける等の処理を施してある。これにより、文字盤２の裏側に配置される後述する発光ダイオード５が点灯されると、それが発する光により文字盤２は透過照明されて、文字２ｂが発光表示される。
【００２８】
文字盤２は、図１に示すように、その中央部に円形の開口窓２ｃが設けられている。この開口窓２ｄを介して、文字盤２の背後に設けられた液晶表示器９が運転者により視認される。
【００２９】
文字盤２の背後には、図２に示すように、指針８を回動させるムーブメント７が配置されている。ムーブメント７は、ステッピングモータ、あるいは交差コイル式回転機等の電気アクチュエータからなり、外部からの電気信号（タコメータＴにおいてはエンジンの回転速度信号）に対応した角度だけシャフト７ａを回動させるものである。ムーブメント７は、図２に示すように、文字盤２中央の開口窓２ｃに臨んで、すなわち液晶表示器９の背後に配置されている。ムーブメント７のシャフト７ａの先端には、図２に示すように、指針８が固定されている。
【００３０】
指針８は、透光性材料、たとえばアクリル樹脂等により形成されている。指針８は、図２に示すように、ムーブメント７のシャフト７ａに固定されるボス部８ａ、ボス部８ａから文字盤２の外周側へ向けて延出される支持腕部８ｂ、支持腕部８ｂ先端から文字盤２の表面２ａに沿い文字盤２の内周側へ向けて延出するポインタ部８ｃとを有している。すなわち、指針８は、図２に示すように、指示腕部８ｂとポインタ部８ｃとにより略コ字状を成している。指針８は、指示腕部８ｂとポインタ部８ｃとが文字盤２を挟むように配置されている。言い換えると、文字盤２は、指針８のポインタ部８ｃの裏側と指示腕部８ｂの表側との間に、支持腕部８ｂ（つまりポインタ部８ｃ）との回転平面と平行に配置されている。
【００３１】
ここで、指針８のポインタ部８ｃは、図１に示すように、液晶表示器９の輪郭内まで延出されている。
【００３２】
指針８を上述したような形状に形成することにより、ムーブメント７のシャフト７ａが文字盤２を貫通する必要が無くなる。したがって、文字盤２上における指針８の回転中心周囲の領域を表示領域として活用する、つまり液晶表示器９を配置することができる。
【００３３】
なお、指針８においては、図２に示すように、ボス部８ａの支持腕部８ｂの反対側に、釣合錘部８ｄを設けている。釣合錘部８ｄは、指針８のシャフトａ回りの不釣合い量を小さくして、指針８の回転運動を滑らかにするためのものである。釣合錘部８ｄには、比重量の大きい材質、たとえば金属材料等からなる錘を付加してもよい。
【００３４】
指針８のポインタ部８ｃより前面側（図２において左側）且つ文字盤２の外周側には、図２に示すように、リング部材としての外周リング３が配置されている。外周リング３は、透光性材料、たとえば無色透明のポリカーボネート樹脂あるいはアクリル樹脂等から形成されている。外周リング３は、第１指標部である目盛３ａを備えている。目盛３ａは、外周リング３の表面３ｂに、目盛３ａのみが透光性を有し、目盛３ａを除く部分が不透光性となるように、印刷あるいはホットスタンプを施して形成されている。これにより、文字盤２の裏側に配置される後述する発光ダイオード５が点灯されると、その光により透過照明されて、目盛３ａのみが発光表示される。
【００３５】
文字盤２の背後、すなわち指針８の支持腕部８ｂの背後には、図２に示すように、文字盤２、外周リング３および指針８を照明するための導光板４および発光ダイオード５が配置されている。導光板４は、透光性材料、たとえば無色透明のポリカーボネート樹脂あるいはアクリル樹脂等から形成されている。発光ダイオード５からの光は、導光板４に入射しその内部で反射を繰り返し発光面４ａから出射して文字盤２を照明する。これにより、文字２ｂが透過照明される。また、発光ダイオード５からの光は、導光板４に入射しその内部で反射を繰り返し発光面４ｂから出射して外周リング３を照明する。これにより、目盛３ａが透過照明される。
【００３６】
文字盤２の裏側には、図２に示すように、開口窓２ｃに臨んで液晶表示器９が配置されている。液晶表示器９は、たとえばマトリクス型液晶表示器が用いられている。液晶表示器９には、指針計器８のポインタ部８ｃに指示され且つ第１指標部である文字２ｂおよび目盛３ａに関連する、言い換えるとエンジン回転速度に関連する第２指標部でありバーグラフとしての経済走行インジケータ９ａが画像として形成されている。経済走行インジケータ９ａは、液晶表示器９に内蔵されるバックライト（図示せず）により透過照明されて発光表示される。
【００３７】
経済走行インジケータ９ａは、図１に示すように、扇形のグラフ、すなわち、指針８の回転中心と同軸上の扇形のグラフとして形成され、本発明の第１実施形態によるタコメータＴにおいては、エンジンの燃料消費率を表している。
【００３８】
エンジンの燃料消費率は、エンジン回転速度やエンジン負荷の変化に伴って変動する。すなわち、第１指標部である文字２ｂおよび目盛３ａにより表示されるエンジン回転速度と関連の強い指標である。自動車が変速機のあるギヤ（たとえば４速ギヤ）で走行中のとき、エンジンの燃料消費率が最小となるエンジン回転速度が存在し、その回転速度から離れる、つまりその回転速度よりも低下する、あるいは上昇するに連れて、燃料消費率は悪化、つまり増大する。
【００３９】
経済走行インジケータ９ａは、図１に示すように、３つの領域、つまり、経済走行領域９ａａとその両側の２つの不経済走行領域９ａｂ、９ａｃとから構成されている。経済走行領域９ａａは、その時点の自動車の走行条件下における燃料消費率の最良点およびそれに準ずる領域であり経済走行（省エネルギ走行）状態領域を表し、黄緑色で発光表示されている。不経済走行領域９ａｂ、９ａｃは、経済走行領域９ａａから外れ燃料消費率が高く燃料を無駄使いする不経済な領域を表し、赤色で発光表示されている。指針８が指示する領域が、その時点における自動車の燃料経済状態である。
【００４０】
発光ダイオード５、ムーブメント７は、図２に示すように、文字盤２の裏側（図２において左側）に配置されたプリント基板６に実装されている。プリント基板６は、たとえばガラスエポキシ基板等からなり、タコメータＴを含むコンビネーションメータ１の電気回路部を形成している。液晶表示器９も、フレキシブルプリント基板（図示せず）等により、プリント基板６に電気的に接続されている。
【００４１】
プリント基板６には、発光ダイオード５の点灯・消灯制御、ムーブメント７の駆動制御、液晶表示器９の表示駆動制御を行なうコントローラ１０が実装されている。コントローラ１０は、たとえばマイクロコンピュータ等から構成されている。
【００４２】
以上説明した、文字盤２、外周リング３、導光板４、プリント基板６、ムーブメント７等は、図２に示すように、樹脂材料から成形されるケーシング１１内に収容保持されている。
【００４３】
また、文字盤２の前面側には、図２に示すように、略枠状の見返し板１２が装着され、さらに見返し板１２の先端部には透明カバー１３が装着されている。見返し板１２は、たとえば樹脂材料から形成されている。透明カバー１２は、透明な樹脂の薄板あるいはガラス等から形成されている。見返し板１２および透明カバー１３は、コンビネーションメータ１の見映えを整えると同時に、コンビネーションメータ１内部への埃、水分等の侵入を防止している。
【００４４】
一方、ケーシング１１の背後には、図２に示すように、ロアカバー１４が装着されている。ロアカバー１４は、たとえば樹脂材料から形成されている。
【００４５】
次に、以上説明した、本発明の第１実施形態によるコンビネーションメータ１の電気回路構成について、図３に基づいて説明する。
【００４６】
図３の電気回路構成図に示すように、コントローラ１０には、バッテリ２０から電力が常時供給されている。また、コントローラ１０は、イグニッションスイッチ１９が、その作動状態（ＯＮまたはＯＦＦ）を検出可能に接続されている。
【００４７】
コントローラ１０には、各種のセンサ類、すなわち当該自動車のエンジン回転速度を検出するエンジン回転センサ１５、変速機（図示せず）のギヤポジションを検出するシフトポジションセンサ１６、当該自動車の走行速度を検出する速度センサ１７が、検出信号を入力可能に接続されている。
【００４８】
一方、コントローラ１０には、その制御対象である、発光ダイオード５、ムーブメント７、液晶表示器９が接続されている。
【００４９】
次に、このように構成した本発明の第１実施形態によるコンビネーションメータ１の作動および本発明の第１実施形態によるコンビネーションメータ１の特徴である、文字盤２、指針８および液晶表示器９の構成による作用効果、主に視認性におよぼす効果について説明する。
【００５０】
（１）イグニッションスイッチ１９がＯＮされた場合。
【００５１】
運転者によりイグニッションスイッチ１９がＯＮされると、コントローラ１０はイグニッションスイッチ１９がＯＮされたことを検知して、コンビネーションメータ１の表示制御作動を開始する。
【００５２】
コントローラ１０は先ず発光ダイオード５を点灯させる。これにより、文字盤２の文字２ｂ、外周リング３の目盛３ａおよび指針８が発光表示される。
【００５３】
同時に、コントローラ１０は、エンジン回転センサ１５からの検出信号に基づきムーブメント７を駆動して、シャフト７ａを所定角度、すなわち当該自動車のエンジン回転速度に対応する角度に回動させる。これにより、タコメータＴ部においては、指針８、詳しくはポインタ部８ｃが文字盤２の文字２ｂおよび外周リング３の目盛３ａを指示してエンジン回転速度が表示される。
【００５４】
続いて、コントローラ１０は、液晶表示器９を駆動して、その画面に当該自動車の経済走行インジケータ９ａを表示させる。経済走行インジケータ９ａの表示に当たっては、コントローラ１０は、エンジン回転センサ１５、シフトポジションセンサ１６および速度センサ１７からの各検出信号およびコントローラ１０内に予め記憶されているデータに基づいて、その時点の自動車走行条件下における経済走行インジケータ９ａのパタン、つまり経済走行領域９ａａ、不経済走行領域９ａｂ、９ａｃの範囲を算出して液晶表示器９に表示させる。
【００５５】
このように、本発明の第１実施形態によるコンビネーションメータ１では、タコメータＴ部において、指針８は、文字２ｂおよび目盛３ａと協働してエンジン回転速度を指示すると同時に、経済走行インジケータ９ａにより、自動車走行中の燃料経済状態を表示している。つまり、１本の指針８が２つの計器の表示を行っている。
【００５６】
これにより、運転者は、エンジン回転速度および自動車走行中の燃料経済状態を即座に正確に把握することができる。さらに、自動車走行中の燃料経済状態が不経済走行領域９ａｂ、９ａｃにある場合においては、経済走行領域９ａａとするために運転者が採るべき対処方法を正確且つ速やかに理解することができる。すなわち、指針８が不経済走行領域９ａｂを指示しているときには、アクセルペダルをさらに踏み込んでエンジン回転速度を上昇させればよい。一方、指針８が不経済走行領域９ａｃを指示しているときには、アクセルペダルの踏み込み量を少し緩めてエンジン回転速度を下降させればよい。
【００５７】
（２）イグニッションスイッチ１９がＯＦＦされた場合。
【００５８】
運転者によりイグニッションスイッチ１９がＯＦＦされると、コントローラ１０は、そのことを検知して、発光ダイオード５を消灯させる。また、コントローラ１０は、ムーブメント７および液晶表示器９の駆動を停止する。
【００５９】
以上説明した本発明の第１実施形態によるコンビネーションメータ１においては、指針８を支持腕部８ｂとポインタ部８ｃとにより略コ字状を成す形状とし、文字盤２を指針８のポインタ部８ｃの裏側と支持腕部８ｂの表側との間に支持腕部８ｂの回転平面と略平行に配置し、指針８のポインタ部８ｃ先端を文字盤２中央部に配置される液晶表示器９の輪郭内まで延伸させ、液晶表示器９には指針８のポインタ部８ｃにより指示され且つ第１指標部である文字２ｂおよび目盛３ａにより表示されるエンジン回転速度と関連の強い指標である経済走行インジケータ９ａを形成している。
【００６０】
従来の表示装置においては、指針計器の中央部に配置された液晶表示器に表示される情報は、指針計器が指示する物理量とは関連が無い。
【００６１】
また、従来の表示装置において指針計器およびそれと関連のある表示を設ける場合、たとえばタコメータと経済走行インジケータあるいはエコノミーモニターを設ける場合、指針計器であるタコメータの外に経済走行インジケータあるいはエコノミーモニターが設けられている。このため、お互いに関連性の強い複数の情報が離れて表示されており、両情報を正確に素早く読取ることが困難となっている。この場合、指針計器の前面側に液晶表示器を重ねることは可能であるが、指針を液晶表示器内まで延伸させることができないため、液晶表示器上の表示の視認性が低下する。
【００６２】
これに対して、本発明の第１実施形態によるコンビネーションメータ１においては、上述した構成とすることにより、お互いに関連性の強い複数の情報である、エンジン回転速度と経済走行インジケータ９ａとを即座に正確に読取ることができる。
【００６３】
これにより、関連性の強い複数の情報の視認性を向上することのできるコンビネーションメータ１を実現することができる。
【００６４】
また、本発明の第１実施形態によるコンビネーションメータ１においては、タコメータＴの目盛３ａを、指針８のポインタ部８ｃよりも前面側且つ文字盤２の外周側に配置される外周リング３に形成している。
【００６５】
これにより、運転者の視認方向において、目盛３ａと文字２ｂとの視認距離を変えて、コンビネーションメータ１の見映えを奥行き感が強調された斬新なものとすることができる。
【００６６】
（第２実施形態）
図４は、本発明の第２実施形態によるコンビネーションメータ１の部分正面図である。
【００６７】
図５は、本発明の第２実施形態によるコンビネーションメータ１の電気回路構成を説明する模式図である。
【００６８】
本発明の第２実施形態によるコンビネーションメータ１では、指針８、第１指標部である文字２ｂおよび目盛３ａにより構成される指針計器を当該自動車の走行速度を指示するスピードメータＳとし、且つ液晶表示器９に表示される第１指標部に関連する第２指標部を自動車が走行中の道路の制限速度を表示するバーグラフとしての制限速度インジケータ９ｂとしている。
【００６９】
上記以外の構成は、すなわち構造は、本発明の第１実施形態によるコンビネーションメータ１と全く同じである
本発明の第２実施形態によるコンビネーションメータ１の電気回路構成について、図５に基づいて説明する。本発明の第１実施形態によるコンビネーションメータ１の場合と同じ部分については説明を省略する。
【００７０】
本発明の第２実施形態によるコンビネーションメータ１の電気回路においては、本発明の第１実施形態によるコンビネーションメータ１の電気回路に対して、コントローラ１０に、図５に示すように、制限速度検知手段１８が追加接続されている。制限速度検知手段は、当該自動車が走行中の道路の制限速度を検知するためのものである。
【００７１】
制限速度検知手段１８は、具体的には、道路に設置される制限速度標識を撮影しそれを画像解析処理することにより検出するもの、あるいは当該自動車に搭載されたナビゲーションシステムの記憶媒体に予め記憶された情報に基づいて検出するもの、あるいは道路に設置された情報発信装置と当該自動車間との通信により検出するもの等がある。
【００７２】
次に、液晶表示器９に表示される、第１指標部に関連する第２指標部でありバーグラフとして制限速度インジケータ９ｂについて説明する。
【００７３】
制限速度インジケータ９ｂは、図４に示すように、２つの領域、すなわち、適正速度領域９ｂａと適正速度領域９ｂａよりも高速側に位置する速度超過領域９ｂｂとから構成されており、両領域９ｂａ、９ｂｂの境界が制限速度を表している。適正速度領域９ｂａは黄緑色で発光表示され、一方速度超過領域９ｂｂは赤色で発光表示されている。
【００７４】
本発明の第２実施形態によるコンビネーションメータ１においては、運転者は、指針８のポインタ部８ｃから、走行速度とその場所における制限速度との関係とを一目瞭然に読取ることができる。したがって、運転者は、容易に適正な速度に車速を制御して安全走行を行うことができる。
【００７５】
この場合、自動車の走行速度が制限速度を越えたとき、つまり指針８が速度超過領域９ｂｂ内を指示したときに、速度超過領域９ｂｂを点滅表示する、あるいは輝度を交互に明暗２段階で切り替え表示する等して、運転手に警告する構成としてもよい。
【００７６】
これにより、関連性の強い複数の情報の視認性を向上することのできるコンビネーションメータ１を実現することができる。
【００７７】
なお、以上説明した本発明の第１実施形態によるコンビネーションメータ１においてはタコメータＴおよび経済走行インジケータ９ａを組み合わせ、本発明の第２実施形態によるコンビネーションメータ１においてはスピードメータＳおよび制限速度インジケータ９ｂを組み合わせているが、両実施形態を合体させる、つまり一つのコンビネーションメータ１内に、タコメータＴおよび経済走行インジケータ９ａのセットと、スピードメータＳおよび制限速度インジケータ９ｂのセットとが存在してもよい。さらには、各組み合わせ以外の表示情報の組み合わせと置き換える、あるいは追加してもよい。たとえば、残存燃料量を表示する燃料計を指針計器で表示し残存燃料で走行可能な距離を液晶表示器に数字で表示する等してもよい。
【図面の簡単な説明】
【００７８】
【図１】本発明の第１実施形態によるコンビネーションメータ１の部分正面図である。
【図２】図1中のＩＩ−ＩＩ線断面図である。
【図３】本発明の第１実施形態によるコンビネーションメータ１の電気回路構成を説明する模式図である。
【図４】本発明の第２実施形態によるコンビネーションメータ１の部分正面図である。
【図５】本発明の第２実施形態によるコンビネーションメータ１の電気回路構成を説明する模式図である。
【符号の説明】
【００７９】
１    コンビネーションメータ（車両用表示装置）
２    文字盤
２ａ    表面
２ｂ    文字（第１指標部）
２ｃ    開口窓
３    外周リング（リング部材）
３ａ    目盛（第１指標部）
３ｂ    表面
４    導光板
４ａ    発光面
４ｂ    発光面
５    発光ダイオード
６    プリント基板
７    ムーブメント
７ａ    シャフト
８    指針
８ａ    ボス部
８ｂ    支持腕部
８ｃ    ポインタ部
８ｄ    釣合錘部
９    液晶表示器
９ａ    経済走行インジケータ（第２指標部、バーグラフ）
９ａａ    経済走行領域
９ａｂ    不経済走行領域
９ａｃ    不経済走行領域
９ｂ    制限速度インジケータ（第２指標部、バーグラフ）
９ｂａ    適正速度領域
９ｂｃ    制限速度超過領域
１０    コントローラ
１１    ケーシング
１２    見返し板
１３    透明カバー
１４    ロアカバー
１５    エンジン回転センサ
１６    シフトポジションセンサ
１７    速度センサ
１８    制限速度検知手段
１９    イグニッションスイッチ
２０    バッテリ
Ｓ    スピードメータ
Ｔ    タコメータ
【図１】
0004417312.tif 000002
【図２】
0004417312.tif 000003
【図３】
0004417312.tif 000004
【図４】
0004417312.tif 000005
【図５】
0004417312.tif 000006